(57)【特許請求の範囲】
【請求項１】
天井裏の天吊枠に装着されるユニットバス用浴室換気乾燥機において、天吊枠の４つの枠上面のうち少なくとも１つの枠上面に夫々引掛溝を形成した２本のステーを立設し、その２本のステーの略中間に当たる天吊枠側面に夫々横長溝を穿設し、その天吊枠の四面に装着されるダクトジョイントの取付板には、前記２本のステー間の外方寸法と略等しい左右間の内方寸法を有する左右の側部案内片と、前記ステーの引掛溝に係合係止させることができる側部鉤形係止片と、前記天吊枠側面の横長溝に係合係止させることができる下部鉤形係止片を設け、天吊枠のフランジ部に形成したネジ穴はユニットバス開口の内側にあって、浴室換気乾燥機本体のフランジ部に形成した取付穴と近接して対峙する位置に配置したことを特徴とする浴室換気乾燥装置。
【請求項２】
天吊枠に環状の吊紐を挿通する小穴を形成し、該環状の吊紐で浴室換気乾燥機本体に上記環状の吊紐の掛止手段を形成し、該浴室換気乾燥機本体を天吊枠から仮吊り可能としたことを特徴とする請求項１記載の浴室換気乾燥装置。
【請求項３】
浴室換気乾燥機本体の電装部から出る各種リード線も、これら各種リード線と結線されるべき各種リード線も、共に一本のケーブルに纏めてその先端に夫々中継用コネクタを取付けたものとなし、上記二つの中継用コネクタは浴室換気乾燥機本体の一隅に形成した貫通箇所から所定長さ垂れ下がるようにしたことを特徴とする請求項１記載の浴室換気乾燥装置。
【発明の詳細な説明】
【０００１】
【産業上の利用分野】
この発明は、浴室換気乾燥装置に関するものである。
【０００２】
【従来の技術】
天井裏に天吊枠を使って浴室換気乾燥機本体を装着する従来例を図８に示し、これについて簡単に説明すると、建物構造体の天井部分１から懸垂した４本のアンカーボルト２の夫々に、逆Ｌ字形の天吊り金具３上端部に穿設したアンカーボルト挿通用長穴４を通し、上下からダブルナット５，５で仮止めし、その天吊り金具３下端部に穿設したネジ挿通用長穴６にネジ７を通し、そのネジ７で断面逆Ｔ字形をなす天吊枠８を仮止めする。そして天井板９に本体差込み用の開口１０を形成したユニットバスを搬入設置後、上記したダブルナット５，５による締付位置調整および天吊り金具３の長穴４，６内での締付位置調整によって、ユニットバスの開口１０に対する天吊枠８の位置合わせを行って天吊枠８のフランジ下面８ａとユニットバス天井板９上面とを正しく当接させて、浴室の湿気が天井裏に回らないようにする。ついで作業員により浴室換気乾燥機本体１１を持ち上げて上記ユニットバスの開口１０および天吊枠８内側に差込み、片手でその状態に保持し、もう一方の手で本体１１のフランジ部に形成した取付穴１１ａ、パッキン１２に形成した穴１２ａ、ユニットバスの開口１０の外側箇所に形成した本体取付用穴９ａに本体取付用ネジ１３を通して、その奥にある天吊枠８のフランジ部に形成したネジ穴１４に本体取付用ネジ１３の先を螺合させて止め付ける構造であった。
【０００３】
【発明が解決しようとする課題】
この発明で解決しようとする課題は、浴室換気乾燥機本体を片手で支持し、もう一方の手でドライバーを回して、奥の方にあるネジ穴１４にうまく本体取付用ネジ１３を螺合させねばならないという作業性の悪さや、ダクト工事、天吊枠の取付け、ユニットバスの搬入、本体取付けといった施工の順番が一義的に決まって自由度がないため工程管理上面倒であった点、更には各種電気配線の結線ミスによる施工不良が意外に多かったという点である。
【０００４】
【課題を解決するための手段】
上記した課題解決のため、この発明では、天井裏の天吊枠に装着されるユニットバス用浴室換気乾燥機において、天吊枠の４つの枠上面のうち少なくとも１つの枠上面に夫々引掛溝を形成した２本のステーを立設し、その２本のステーの略中間に当たる天吊枠側面に夫々横長溝を穿設し、その天吊枠の四面に装着されるダクトジョイントの取付板には、前記２本のステー間の外方寸法と略等しい左右間の内方寸法を有する左右の側部案内片と、前記ステーの引掛溝に係合係止させることができる側部鉤形係止片と、前記天吊枠側面の横長溝に係合係止させることができる下部鉤形係止片を設け、天吊枠のフランジ部に形成したネジ穴はユニットバス開口の内側にあって、浴室換気乾燥機本体のフランジ部に形成した取付穴と近接して対峙する位置に配置したことを特徴とする。
【０００５】
また、天吊枠に止着した環状の吊紐で浴室換気乾燥機本体を仮吊り可能となし、これによって浴室換気乾燥機本体を手で支えなくて済み、本体ネジ止め取付作業を両手を使って行えるようにした。
【０００６】
更に、浴室換気乾燥機本体の電装部から出る各種リード線も、これら各種リード線と結線されるべき各種リード線も、共に一本のケーブルに纏めてその先端に夫々中継用コネクタを取付けたものとなし、上記二つの中継用コネクタは浴室換気乾燥機本体の一隅に形成した貫通箇所から所定長さ垂れ下がらせて、上記二つの中継用コネクタの結合による結線作業を浴室内から行えるようにした。
【０００７】
【発明の実施の形態】
以下の説明に使われる図面の符号は、図８と同一の部品については同一の参照符号を付してある。
【０００８】
図１（Ａ）は、浴室換気乾燥機本体（以下、本体という）１１取付け前の状態を示した長手方向の断面図であり、矢印は本体１１の持ち上げを意味している。同図には、天吊枠８の側面に穿設された小穴３０に挿通された環状の吊紐３１によって、本体１１を仮吊り可能とした状態が示されているが、図６の斜視図から明瞭なように、本例では本体１１のフランジ部に二つの切込溝からなる掛止手段３２と掛止鈎片３３とが形成され、上記吊紐３１は掛止手段３２である二つの切込溝３２を通したのち掛止鈎片３３に引っ掛けて外れなくしている。少なくとも対角線反対側に同じ構造を構成することで、本体１１は天吊枠８から吊り下げられることになる。尚、３４はフアンケーシングである。
【０００９】
図１（Ｂ）は、本体１１取付け後の状態を示した短手方向の断面図である。同図からは、天吊枠８のフランジ部８ａに形成したネジ穴１４は、ユニットバス天井板９に設けた開口１０の内側にあり、本体１１のフランジ部に形成した取付穴１１ａと近接対峙していて、その取付穴１１ａに本体取付ネジ１３を通し本体１１をネジ止めするときには、本体取付ネジ１３はすぐ近くにある天吊枠８のネジ穴１４にた易く螺合できることがわかる。
【００１０】
図１（Ａ）および図１（Ｂ）には天吊枠８に立設されたステー１５、ダクトジョイント１８，盲板１８ａが示されている。天吊枠８の４つの枠上面には、引掛溝１６を形成した２本のステー１５，１５が夫々立設され、その２本のステー１５，１５の略中間に当たる天吊枠８側面に夫々横長溝１７が穿設されていることが図３の斜視図からわかる。望ましくは天吊枠８は２個のＬ字形構成部材を差込み式で枠状に構成し、その連結箇所を止めネジ２７，２７で止め付けておいて、２つに分けられる構造とすることである。２８は端子台用テーブルである。
【００１１】
ダクトジョイント１８は、表側の斜視図である図４（Ａ）と裏側の斜視図である図４（Ｂ）からわかるように、透穴２１をあけた取付板１９にダクト接続用短管２０を取付けて、その短管２０と透穴２１とを連通させたものである。ダクトジョイント１８に対し、図１R>１（Ａ）に示した盲板１８ａにはダクト接続用短管２０がなく、透穴２１をあけていない取付板１９だけで構成されたものである。いずれも取付板１９の両側辺部には側部案内片２２，２２と側部鉤形係止片２３が折曲形成され、下辺中央部には下部鉤形係止片２４が折曲形成されている。左右の側部案内片２２，２２間の内方寸法は前記したステー１５，１５の外方寸法と略等しい。図５（Ａ）のように、ダクトジョイント１８を天吊枠８の内側から斜めに傾けて、先ず下部鉤形係止片２４を図１（Ａ）と（Ｂ）に示したように天吊枠８の横長溝１７に差し込んでから真っ直ぐに起こしいて図５（Ｂ）のようにすると、取付板１９の側部鉤形係止片２３がステー１５の引掛溝１６に係合係止して、ダクトジョイント１８（または盲板１８ａ）を天吊枠８に組付けることがワンタッチで完了する。ダクトジョイント１８及び盲板１８ａの背面にシール材２５を貼り付け、そのシール材２５に密着させて本体１１の金属カバー２６を配設する。ダクトと本体１１内部との連通は金属カバー２６を介してなされることになる。
【００１２】
浴室外に取付けたリモコンからの接続コードや、電動シャッターがダクトジョイント内に装着される場合は夫々のダクトジョイントから出る電源用と信号用リード線、更には多室換気の場合の洗面所やトイレの壁スイッチからの接続コードといった各種配線は、本体１１を取付ける前でも後でもよいが、図７に示すように、一本の中継用ケーブル３５に纏め、その先端に中継用コネクタ３６を取付けておく。上記各種接続コードと結線されるべき本体１１の電装部から出る各種リード線も一本のケーブル３７に纏め、その先端に中継用コネクタ３８を取付けておく。これら二つの中継用コネクタ３６，３８を取り付けた中継用ケーブル３５，３７は、要すれば天吊枠８の例えば端子台用テーブル３４を利用して固定具３９で適切な一に固定して、金属カバー２６および本体１１の一隅に形成した例えば平面形状が三角形の貫通箇所４０より適宜長さ垂れ下がるようにする。両中継用コネクタ３６，３８を結合後は、垂れ下がったケーブル３５，３７と共に、上記貫通箇所４０から本体１１底蓋上に押し込み、その貫通箇所４０の底蓋部分は蓋（図示さず）で閉じるようにするとよい。
【００１３】
上記の装置を使って換気装置として組立てるには、予め外部に通じる排気ダクトや、トイレ，洗面所からの副吸込みダクトを本体設置予定位置近辺まで配管しておき、４本のアンカーボルト２や天吊り金具３を使って天吊枠８を吊下げることは従来と変わらない。この天吊枠８の吊下げ作業はユニットバスの開口１０や点検口（図示せず）から随時随意に行えるので、ユニットバス搬入時期は何時でもよいことになる。天吊枠８の大きさが開口１０の大きさより大きく、その儘では通過できないときは、天吊枠８の止めネジ３４，３４を外して二つに分割し、夫々開口１０を通過させたのち、天井裏で再び枠状に組立てる。ステー１５を立設した天吊枠８の四面のうち、最大三面に排気用および副吸込み用のダクトジョイント１８が装着され、残りの面に盲板１８ａが装着されることになるが、この作業は前述したとおりワンタッチでできる。各ダクト接続用短管２０には、すぐそばまで来ているダクトの端部を差込んでから、テープを巻き付けてしっかりと連結すること、ユニットバス搬入後に天吊枠８の位置合わせがなされることは従来と変わりない。金属カバー２６および本体１１を開口１０から押し込んで、本体１１のネジ止めを行うときには、環状の吊紐３１で本体１１を仮吊り状態とすることができるので、両手でネジ止め作業をすることができる。各ダクトは金属カバー２６を介して本体１１内部と連通するが、ダクトジョイント１８及び盲板１８ａの背面に貼着したシール材２５によって風漏れは防止できる。
【００１４】
以上の説明は天吊りの例であったが、天吊りしない装着も可能である。この場合の例を図２（Ａ）と図２（Ｂ）に示した。図２（Ａ）は、本体１１ネジ止め前の状態を示した長手方向の断面図であって、ユニットバスの天井板９上に開口１０と合わせて補強枠４１を設け、その上に天吊枠８を載置し、矢印方向に本体１１を押し込んで、取付ネジ４２で補強枠４１にネジ止めする。図２（Ｂ）は、取付け後の状態を示した短手方向の断面図であって、天吊枠８のフランジ部に回動自在に設けたストッパー金具４３が取付いているが、このストッパー金具４３は天井板９と当接させることで、補強枠４１に乗っただけの天吊枠８が本体１１挿入時に上方へずり上がらせなくするものである。
【００１５】
【発明の効果】
以上の説明から明らかなように、請求項１の発明によれば、天吊枠の四面にダクトジョイントをワンタッチで装着でき、天吊枠のフランジ部に形成したネジ穴は、ユニットバス開口の内側であり且つ浴室換気乾燥機本体のフランジ部に形成した取付穴と近接して対峙する位置に配置したから、本体を天吊枠にネジ止めする作業が簡単且つ確実に行えることになる。
【００１６】
請求項２の発明によれば、本体ネジ止め作業時には天吊枠に止着した環状の吊紐で本体を仮吊り状態にすることができるため、従来のように工事人が浴室換気乾燥機本体を持ち上げた状態で支える必要がなくなり、ネジ止め作業は両手が使えて効率よく遂行できる。
【００１７】
請求項３の発明によれば、浴室換気乾燥機本体の電装部から出る各種リード線も、これら各種リード線と結線されるべき各種リード線も、共に一本のケーブルに纏めてその先端に中継用コネクタを取付け、しかもこれら二つの中継用コネクタは本体の一隅に形成した貫通箇所から垂れ下がるようにさせたことで、結線作業は中継用コネクタ同士を浴室内側から結合させるだけとなり、結線ミスのおそれを簡単に解消できる。
【図面の簡単な説明】
【図１】（Ａ）  天吊枠に浴室換気乾燥機本体を取付ける前の長手方向の断面図
（Ｂ）天吊枠に浴室換気乾燥機本体を取付後の短手方向の断面図
【図２】（Ａ）天吊枠を使わずに浴室換気乾燥機本体を取付ける前の長手方向の断面図
（Ｂ）天吊枠を使わずに浴室換気乾燥機本体を取付後の短手方向の断面図
【図３】  天吊枠の斜視図
【図４】（Ａ）ダクトジョイントを表側から見た斜視図
（Ｂ）ダクトジョイントを裏側から見た斜視図
【図５】（Ａ）ダクトジョイントを天吊枠に装着する前の斜視図
（Ｂ）ダクトジョイントを天吊枠に装着した後の斜視図
【図６】  本体仮吊り状態を示す斜視図
【図７】  各種配線の結線の要領を示す斜視図
【図８】  天井裏に設けた天吊枠に浴室換気乾燥機本体を装着する従来例を示した断面図。
【符号の説明】
８    天吊枠
１０    ユニットバスの開口
１１    浴室換気乾燥機本体
１１ａ  浴室換気乾燥機本体の取付穴
１４    天吊枠の取付穴
１５    ステー
１６    引掛溝
１７    横長溝
１８    ダクトジョイント
１８ａ  盲板
２２    側部案内片
２３    側部鉤形係止片
２４    下部鉤形係止片
２５    シール材
３０    小穴
３１    環状の吊紐
３２    掛止手段
３５    中継用ケーブル
３６    中継用コネクタ
３７    中継用ケーブル
３８    中継用コネクタ
４０    貫通箇所
【図１】
0003777459.tif 000002
【図２】
0003777459.tif 000003
【図３】
0003777459.tif 000004
【図４】
0003777459.tif 000005
【図５】
0003777459.tif 000006
【図６】
0003777459.tif 000007
【図７】
0003777459.tif 000008
【図８】
0003777459.tif 000009